(57)【特許請求の範囲】
【請求項１】
周囲を有するハウジングと、
前記周囲に沿って配置され、前記周囲上に少なくとも１つのギャップを有する導電性構造体と、
グランドプレーンと、
前記導電性構造体の少なくとも一部分、及び前記グランドプレーンの少なくとも一部分から形成されたアンテナと、
前記アンテナのための第１及び第２のアンテナフィード端子と、を有し、
前記第１のアンテナフィード端子が前記導電性構造体に接続され、前記第２のアンテナフィード端子が前記グランドプレーンに接続されている、ことを特徴とする電子装置。
【請求項２】
ディスプレイをさらに有し、
前記導電性構造体が、前記ディスプレイのためのベゼルを有することを特徴とする請求項１に記載の電子装置。
【請求項３】
前記アンテナは、並列フィードループアンテナを含むことを特徴とする請求項２に記載の電子装置。
【請求項４】
前記グランドプレーンは、実質的に長方形のグランドプレーンを含み、
前記ループアンテナの一部分は、前記実質的に長方形のグランドプレーンから形成されていることを特徴とする請求項３に記載の電子装置。
【請求項５】
前記第２のアンテナフィード端子が、前記実質的に長方形のグランドプレーンに接続されていることを特徴とする請求項４に記載の電子装置。
【請求項６】
前記第２のアンテナフィード端子が、前記実質的に長方形のグランドプレーンに接続され、
前記第１のアンテナフィード端子が、前記ベゼルに電気的に接続されていることを特徴とする請求項４に記載の電子装置。
【請求項７】
前記導電性構造体は導電性ループ経路を形成し、
前記電子装置は、前記導電性ループ経路の間に置かれたインダクタをさらに有する、ことを特徴とする請求項１に記載の電子装置。
【請求項８】
前記第１及び第２のアンテナフィード端子は、前記ギャップの反対側に配置されていることを特徴とする請求項１に記載の電子装置。
【請求項９】
伝送線をさらに有し、
前記伝送線は、前記アンテナのための前記第１及び第２のアンテナフィード端子に、それぞれ接続された第１及び第２の導電体と、前記第１の導電体と前記第１のアンテナフィード端子との間のキャパシタとを有する、ことを特徴とする請求項１に記載の電子装置。
【請求項１０】
前記第１のアンテナフィード端子と前記第２のアンテナフィード端子との間に接続されたインダクタをさらに有する、ことを特徴とする請求項１に記載の電子装置。
【請求項１１】
前記アンテナがクローズトスロットを有することを特徴とする請求項１に記載の電子装置。
【請求項１２】
周囲を有するハウジングと、
前記ハウジング内のグランドプレーンと、
前記周囲に沿って配置され、前記周囲上に少なくとも１つのギャップを有する導電性構造体と、
前記導電性構造体の一部分、及び前記グランドプレーンの一部分によって形成され、前記ギャップによって形成された開口を有するオープンアンテナスロットと、
前記導電性構造体の一部分、及び前記グランドプレーンの一部分によって形成されたクローズトアンテナスロットと、を有することを特徴とする電子装置。
【請求項１３】
オープンアンテナスロット及びクローズトアンテナスロットの両方のエッジを形成し、オープンアンテナスロットとクローズトアンテナスロットとの間に配置されたＬ字状の導電領域を有することを特徴とする請求項１２に記載の電子装置。
【請求項１４】
無線周波数トランシーバ回路と、
第１及び第２のアンテナフィード端子と、
ポジティブ及びグランド導電体を有する伝送線と、をさらに有し、
前記伝送線は、前記無線周波数トランシーバ回路と、前記第１及び第２のアンテナフィード端子との間に接続されている、ことを特徴とする請求項１３に記載の電子装置。
【請求項１５】
前記第１のアンテナフィード端子は前記グランドプレーン上に配置され、前記第２のアンテナフィード端子は前記Ｌ字状の導電領域上に配置されている、ことを特徴とする請求項１４に記載の電子装置。
【請求項１６】
ディスプレイをさらに有し、
前記導電性構造体は前記ディスプレイのためのベゼルを有する、ことを特徴とする請求項１５に記載の電子装置。
【請求項１７】
グランドプレーンと、
ギャップを有する導電性電子装置ベゼルと、
前記ギャップを充填する固体誘電体と、
第１及び第２のアンテナフィード端子と、を有し、
前記グランドプレーン、前記ベゼル、並びに前記第１及び第２のアンテナフィード端子は、並列フィードループアンテナを形成し、
並列フィードループアンテナは、クローズトスロットを有することを特徴とするワイヤレス回路。
【請求項１８】
前記並列フィードループアンテナはオープンスロットを有し、
前記オープンスロットは、前記導電性電子装置ベゼル内の前記ギャップによって形成された開口を有することを特徴とする請求項１７に記載のワイヤレス回路。
【請求項１９】
前記第１及び第２のアンテナフィード端子は、前記ギャップの開口側に配置されていることを特徴とする請求項１８に記載のワイヤレス回路。
【請求項２０】
前記オープンスロットは、前記導電性電子装置ベゼルによって画定され、
前記クローズトスロットは、前記グランドプレーンによって画定され、
前記ワイヤレス回路は、前記オープンスロット及び前記クローズトスロットを分離するＬ字状の導電性構造体をさらに有する、ことを特徴とする請求項１９に記載のワイヤレス回路。
【請求項２１】
前記オープンスロットは、略長方形の内部領域を有し、
前記オープンスロットは、略Ｌ字状の内部領域を有する、ことを特徴とする請求項２０に記載のワイヤレス回路。
【発明の詳細な説明】
【技術分野】
【０００１】
本発明は、一般的に、ワイヤレス通信回路に係り、より詳細には、ワイヤレス通信回路を有する電子装置に係る。
【０００２】
本出願は、２００９年１２月３日に出願された米国特許出願第１２／６３０，７５６号の優先権を主張するもので、この出願は、参考としてここにそのまま援用される。
【背景技術】
【０００３】
ハンドヘルド電子装置のような電子装置が益々普及しつつある。ハンドヘルド装置は、例えば、ハンドヘルドコンピュータ、セルラー電話、メディアプレーヤ、及びこの形式の複数の装置の機能を含むハイブリッド装置を含む。
【０００４】
それらの装置には、ワイヤレス通信能力がしばしば設けられる。例えば、電子装置は、８５０ＭＨｚ、９００ＭＨｚ、１８００ＭＨｚ、及び１９００ＭＨｚのセルラー電話帯域を使用して通信するためのセルラー電話回路のような長距離ワイヤレス通信回路を使用する（例えば、移動通信用のメイングローバルシステム、又はＧＳＭ（登録商標）セルラー電話帯域）。長距離ワイヤレス通信回路は、２１００ＭＨｚの帯域も取り扱う。電子装置は、近傍の装置との通信を取り扱うために短距離のワイヤレス通信リンクを使用する。例えば、電子装置は、２．４ＧＨｚ及び５ＧＨｚのＷｉＦｉ（登録商標）（ＩＥＥＥ８０２．１１）帯域及び２．４ＧＨｚのＢｌｕｅｔｏｏｔｈ（登録商標）帯域を使用して通信する。
【０００５】
小さなフォームファクタのワイヤレス装置に対する消費者需要を満足するため、製造者は、コンパクトな構造を使用してアンテナコンポーネントのようなワイヤレス通信回路を具現化する努力を続けている。同時に、コンポーネントを収容する金属装置のような導電性構造体を電子装置に含ませることが望まれる。導電性コンポーネントは、高周波性能に影響を及ぼすので、導電性構造体を含む電子装置にアンテナを合体するときには注意しなければならない。
【発明の概要】
【発明が解決しようとする課題】
【０００６】
それ故、ワイヤレス電子装置のための改良されたワイヤレス通信回路を提供できることが要望される。
【課題を解決するための手段】
【０００７】
アンテナ構造体を備えた電子装置が提供される。アンテナは、第１及び第２の通信帯域で動作するように構成される。電子装置は、伝送線を使用してアンテナに結合された高周波トランシーバ回路を備えている。伝送線は、正の導体及び接地導体を有する。アンテナは、伝送線の正の導体及び接地導体が各々結合される正のアンテナフィード端子及び接地アンテナフィード端子を有する。
【０００８】
電子装置は、長方形の周囲を有する。電子装置の前面には、長方形のディスプレイがマウントされる。電子装置は、その後面がプラスチックのハウジング部材から形成される。
導電性側壁構造体が電子装置ハウジング及びディスプレイの周囲に延びる。導電性側壁構造体は、ディスプレイのためのベゼルとして働く。
【０００９】
ベゼルは、少なくとも１つのギャップを含む。このギャップは、プラスチックのような内実の誘電体で埋められる。アンテナは、ギャップを含むベゼルの一部分及び接地平面の一部分で形成される。タッチ事象に対する過剰な感度を回避するために、アンテナは、ギャップ付近の電界の集中を減少するフィード構成体を使用してフィードされる。第１及び第２の両帯域において満足な動作を与えるインピーダンスマッチングネットワークが形成される。
【００１０】
インピーダンスマッチングネットワークは、アンテナフィード端子と並列に形成される誘導性素子と、アンテナフィード端子の１つと直列に形成される容量性素子とを備えている。誘導性素子は、アンテナフィード端子を橋絡する伝送線誘導性構造体から形成される。容量性素子は、アンテナの正のフィード経路に介在されたキャパシタから形成される。
キャパシタは、例えば、伝送線の正の接地導体と正のアンテナフィード端子との間に接続される。
【００１１】
本発明の更に別の特徴、その特性及び種々の効果は、添付図面、及び好ましい実施形態の以下の詳細な説明から明らかとなろう。
【図面の簡単な説明】
【００１２】
【図１】本発明の一実施形態によるワイヤレス通信回路を伴う電子装置を例示する斜視図である。
【図２】本発明の一実施形態によるワイヤレス通信回路を伴う電子装置を例示する回路図である。
【図３】本発明の一実施形態によるワイヤレス通信回路を伴う電子装置を例示する断面端面図である。
【図４】本発明の一実施形態によるアンテナを例示する図である。
【図５】本発明の一実施形態により電子装置に使用される直列フィードループアンテナを例示する回路図である。
【図６】本発明の一実施形態により複数の通信帯域のカバレージを表わすために電子装置のアンテナをどのように構成するか示すグラフである。
【図７】本発明の一実施形態により電子装置に使用される並列フィードアンテナを例示する回路図である。
【図８】本発明の一実施形態によりインダクタンスがループに介在された並列フィードループアンテナを例示する図である。
【図９】本発明の一実施形態により誘導性伝送線構造体を有する並列フィードループアンテナを例示する図である。
【図１０】本発明の一実施形態により誘導性伝送線構造体及び直列接続の容量性素子を伴う並列フィードアンテナを例示する図である。
【図１１】本発明の実施形態による種々の電子装置ループアンテナの性能を示すスミスチャートである。
【発明を実施するための形態】
【００１３】
電子装置には、ワイヤレス通信回路が設けられる。このワイヤレス通信回路は、複数のワイヤレス通信帯域においてワイヤレス通信をサポートするのに使用される。このワイヤレス通信回路は、１つ以上のアンテナを備えている。
【００１４】
アンテナは、ループアンテナを含む。ループアンテナのための導電性構造体は、必要に応じて、導電性の電子装置構造体から形成される。導電性の電子装置構造体は、導電性ハウジング構造体を含む。このハウジング構造体は、導電性ベゼルを含む。導電性ベゼルにはギャップ構造体が形成される。アンテナは、ユーザの手や他の外部物体との接触に対するアンテナの感度を最小にする上で助けとなる構成を使用して並列フィードされる。
【００１５】
適当な電子装置に、ループアンテナ構造体を含むワイヤレス回路が設けられる。一例として、ループアンテナ構造体は、デスクトップコンピュータ、ゲームコンソール、ルーター、ラップトップコンピュータ、等の電子装置に使用される。１つの適当な構成では、ポータブル電子装置のように内部スペースが比較的貴重である比較的コンパクトな電子装置にループアンテナ構造体が設けられる。
【００１６】
本発明の一実施形態によるポータブル電子装置が図１に例示されている。ここに例示するポータブル電子装置１０のようなポータブル電子装置は、ラップトップコンピュータ、又は小型ポータブルコンピュータ、例えば、超小型コンピュータ、ネットブックコンピュータ、及びタブレットコンピュータである。又、ポータブル電子装置は、何らかの小型の装置でもよい。小型のポータブル電子装置は、例えば、腕時計装置、ペンダント装置、ヘッドホン及びエアホン、並びに他の着用可能な小型装置を含む。１つの適当な構成では、ポータブル電子装置は、セルラー電話のようなハンドヘルド電子装置である。
【００１７】
ポータブル電子装置では、スペースが貴重である。効率的なアンテナ動作に挑戦することのできる導電性構造体も典型的に存在する。例えば、ポータブル電子装置ハウジングの周囲の若干又は全部に導電性ハウジング構造体が存在してもよい。
【００１８】
そのようなポータブル電子装置ハウジング構成では、当該通信帯域をカバーするループ型アンテナ設計を使用するのが特に好都合である。それ故、ここでは、時々、ハンドヘルド装置のようなポータブル装置の使用を一例として説明するが、適当な電子装置に、必要に応じて、ループアンテナ構造体を設けることができる。
【００１９】
ハンドヘルド装置は、例えば、セルラー電話、ワイヤレス通信能力をもつメディアプレーヤ、ハンドヘルドコンピュータ（時々、パーソナルデジタルアシスタントとも称される）、リモートコントローラ、グローバルポジショニングシステム（ＧＰＳ）装置、及びハンドヘルドゲーム機である。ハンドヘルド装置及び他のポータブル装置は、必要に応じて、複数の従来装置の機能を含んでもよい。マルチ機能装置は、例えば、メディアプレーヤ機能を含むセルラー電話、ワイヤレス通信機能を含むゲーム機、ゲーム及びｅ−メール機能を含むセルラー電話、ｅ−メールを受信し、移動電話コールをサポートし且つウェブブラウジングをサポートするハンドヘルド装置を含む。これらは、例示に過ぎない。図１の装置１０は、適当なポータブル又はハンドヘルド電子装置である。
【００２０】
装置１０は、ハウジング１２を備え、そしてワイヤレス通信を取り扱うための少なくとも１つのアンテナを備えている。時々ケースとも称されるハウジング１２は、プラスチック、ガラス、セラミック、複合物、金属、又は他の適当な材料、或いはそれら材料の組合せを含む適当な材料で形成される。ある状況では、ハウジング１２の一部分が誘電体又は他の低導電率材料で形成され、ハウジング１２内に配置された導電性アンテナ素子の動作を妨げないようにされる。他の状況では、ハウジング１２が金属素子から形成される。
【００２１】
装置１０は、必要に応じて、ディスプレイ１４のようなディスプレイを有する。ディスプレイ１４は、例えば、容量性タッチ電極を合体したタッチスクリーンである。ディスプレイ１４は、発光ダイオード（ＬＥＤ）、有機ＬＥＤ（ＯＬＥＤ）、プラズマセル、電子インク素子、液晶ディスプレイ（ＬＣＤ）コンポーネント、又は他の適当な画像ピクセル構造体から形成された画像ピクセルを含む。カバーガラス部材がディスプレイ１４の表面を覆う。ボタン１９のようなボタンがカバーガラスの開口を通過する。
【００２２】
ハウジング１２は、側壁構造体１６のような側壁構造体を含む。この構造体１６は、導電性材料を使用して実施される。例えば、構造体１６は、ディスプレイ１４の長方形周囲を実質的に取り巻く導電性リング部材を使用して実施される。構造体１６は、金属、例えば、ステンレススチール、アルミニウム、又は他の適当な材料から形成される。構造体１６を形成するのに、１つ、２つ又は３つ以上の個別の構造体が使用される。構造体１６は、ディスプレイ１４を装置１０の前面（頂面）に保持するベゼルとして働く。それ故、構造体１６は、ここでは、ベゼル構造体１６又はベゼル１６とも称される。ベゼル１６は、装置１０及びディスプレイ１４の長方形周囲に延びる。
【００２３】
ベゼル１６は、厚み（寸法ＴＴ）が約０．１ｍｍないし３ｍｍである（一例として）。
ベゼル１６の側壁は、実質的に垂直（垂直軸Ｖに平行）である。軸Ｖに平行に、ベゼル１６は、寸法ＴＺが約１ｍｍないし２ｃｍである（一例として）。ベゼル１６の縦横比Ｒ（即ち、ＴＺ対ＴＴ）は、典型的に１より大きい（即ち、Ｒは、１以上であるか、２以上であるか、４以上であるか、１０以上であるか、等々である）。
【００２４】
ベゼル１６は、均一な断面を有する必要はない。例えば、ベゼル１６の上部は、必要に応じて、ディスプレイ１４を位置保持する上で助けとなる内方に突出するリップを有してもよい。必要に応じて、ベゼル１６の下部も、拡大リップを有してもよい（例えば、装置１０の後面の平面に）。図１の例では、ベゼル１６は、実質的にまっすぐの垂直側壁を有する。これは、例示に過ぎない。ベゼル１６の側壁は、カーブしてもよいし、又は他の適当な形状でもよい。
【００２５】
ディスプレイ１４は、容量性電極のアレイ、ピクセル素子をアドレスする導電性ライン、ドライバ回路、等の導電性構造体を含む。これらの導電性構造体は、高周波信号をブロックする傾向がある。それ故、装置の平らな後面の若干又は全部をプラスチックのような誘電体材料で形成するのが望ましい。
【００２６】
ベゼル１６の部分には、ギャップ構造体が設けられる。例えば、ベゼル１６には、図１に示すように、ギャップ１８のような１つ以上のギャップが設けられる。ギャップ１８は、装置１０のハウジング及びディスプレイ１２の周囲に沿って存在し、それ故、周囲ギャップとも称される。ギャップ１８は、ベゼル１６を分割する（即ち、ギャップ１８には、ベゼル１６の導電性部分が一般的に存在しない）。
【００２７】
図１に示すように、ギャップ１８には誘電体が充填される。例えば、ギャップ１８には空気が充填される。装置１０に途切れのない滑らかな見掛けを与える上で助けとなると共に、ベゼル１６が審美的に魅力のあるものであることを保証するために、ギャップ１８には、プラスチックのような内実（非空気）の誘電体が充填される。ベゼル１６及びギャップ１８のようなギャップ（並びにそれに関連したプラスチックフィラー構造体）は、装置１０における１つ以上のアンテナの部分を形成する。例えば、ベゼル１６の部分及びギャップ１８のようなギャップは、内部の導電性構造体に関連して、１つ以上のループアンテナを形成する。内部の導電性構造体は、プリント回路板構造体、フレーム部材又は他のサポート構造体、或いは他の適当な導電性構造体を含む。
【００２８】
典型的なシナリオでは、装置１０は、上部及び下部アンテナを有する（一例として）。
上部アンテナは、例えば、領域２２において装置１０の上端に形成される。下部アンテナは、例えば、領域２０において装置１０の下端に形成される。
【００２９】
下部アンテナは、例えば、ギャップ１８の付近でベゼル１６の部分から一部分形成される。
【００３０】
装置１０のアンテナは、当該通信帯域をサポートするのに使用される。例えば、装置１０は、ローカルエリアネットワーク通信、ボイス及びデータセルラー電話通信、グローバルポジショニングシステム（ＧＰＳ）通信、Ｂｌｕｅｔｏｏｔｈ（登録商標）通信、等をサポートするためのアンテナ構造体を備えている。例えば、装置１０の領域２０における下部アンテナは、１つ以上のセルラー電話帯域におけるボイス及びデータ通信を取り扱うのに使用される。
【００３１】
電子装置を例示する回路図が図２に示されている。図２の装置１０は、ポータブルタブレットコンピュータのようなポータブルコンピュータ、移動電話、メディアプレーヤ能力を伴う移動電話、ハンドヘルドコンピュータ、リモートコントロール、ゲームプレーヤ、グローバルポジショニングシステム（ＧＰＳ）装置、そのような装置の組合せ、又は他の適当なポータブル電子装置である。
【００３２】
図２に示すように、ハンドヘルド装置１０は、記憶及び処理回路２８を備えている。この記憶及び処理回路２８は、ハードディスクドライブ記憶装置、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等の記憶装置を含む。記憶及び処理回路２８の処理回路は、装置１０の動作を制御するのに使用される。この処理回路は、１つ以上のマイクロプロセッサ、マイクロコントローラ、デジタル信号プロセッサ、特定用途向け集積回路、等をベースとするものである。
【００３３】
記憶及び処理回路２８は、インターネットブラウジングアプリケーション、ボイスオーバーインターネットプロトコル（ＶＯＩＰ）電話コールアプリケーション、ｅ−メールアプリケーション、メディア再生アプリケーション、オペレーティングシステムファンクション、等のソフトウェアを装置１０において実行するのに使用される。外部装置との対話をサポートするために、記憶及び処理回路２８は、通信プロトコルを実施するのに使用される。記憶及び処理回路２８を使用して実施される通信プロトコルは、インターネットプロトコル、ワイヤレスローカルエリアネットワークプロトコル（例えば、ＷｉＦｉ（登録商標）とも称されるＩＥＥＥ８０２．１１プロトコル）、他の短距離ワイヤレス通信リンクのためのプロトコル、例えば、Ｂｌｕｅｔｏｏｔｈ（登録商標）プロトコル、セルラー電話プロトコル、等を含む。
【００３４】
入力／出力回路３０は、装置１０にデータを供給すると共に、装置１０から外部装置へデータを供給できるようにするために使用される。タッチスクリーン及び他のユーザ入力インターフェイスのような入力／出力装置３２は、入力／出力回路３０の一例である。この入力／出力装置３２は、ユーザ入力／出力装置、例えば、ボタン、ジョイスティック、クリックホイール、スクロールホイール、タッチパッド、キーパッド、キーボード、マイクロホン、カメラ、等も含む。ユーザは、このようなユーザ入力装置を通してコマンドを供給することにより装置１０の動作を制御することができる。視覚情報及び状態データを与えるディスプレイ１４（図１）及び他のコンポーネントのようなディスプレイ及びオーディオ装置が装置３２に含まれる。又、入力／出力装置３２におけるディスプレイ及びオーディオコンポーネントは、サウンドを発生するためのスピーカ及び他の装置のようなオーディオ装置も含む。要望があれば、入力／出力装置３２は、外部ヘッドホン及びモニタのためのジャック及び他のコネクタのようなオーディオ／ビデオインターフェイス装置を含む。
【００３５】
ワイヤレス通信回路３４は、１つ以上の集積回路、電力増幅回路、低ノイズ入力増幅器、受動的ＲＦコンポーネント、１つ以上のアンテナ、及びＲＦワイヤレス信号を取り扱う他の回路から形成された高周波（ＲＦ）トランシーバ回路を含む。又、ワイヤレス信号は、光を使用して（例えば、赤外線通信を使用して）送信されてもよい。ワイヤレス通信回路３４は、複数の高周波通信帯域を取り扱うための高周波トランシーバ回路を含む。例えば、回路３４は、トランシーバ回路３６及び３８を含む。トランシーバ回路３６は、ＷｉＦｉ（登録商標）（ＩＥＥＥ８０２．１１）通信のための２．４ＧＨｚ及び５ＧＨｚを取り扱うと共に、２．４ＧＨｚのＢｌｕｅｔｏｏｔｈ（登録商標）通信帯域を取り扱うことができる。回路３４は、（一例として）８５０ＭＨｚ、９００ＭＨｚ、１８００ＭＨｚ、及び１９００ＭＨｚのＧＳＭ（登録商標）帯域、並びに２１００ＭＨｚのデータ帯域のようなセルラー電話帯域においてワイヤレス通信を取り扱うためのセルラー電話トランシーバ回路３８を使用する。ワイヤレス通信回路３４は、必要に応じて、他の短距離及び長距離ワイヤレスリンクのための回路を含むことができる。例えば、ワイヤレス通信回路３４は、グローバルポジショニングシステム（ＧＰＳ）受信装置、ラジオ及びテレビ信号を受信するためのワイヤレス回路、ページング回路、等を含む。ＷｉＦｉ（登録商標）及びＢｌｕｅｔｏｏｔｈ（登録商標）、並びに他の短距離ワイヤレスリンクでは、ワイヤレス信号は、典型的に、数十又は数百フィートにわたってデータを搬送するために使用される。
セルラー電話リンク及び他の長距離リンクでは、ワイヤレス信号は、典型的に、数千フィート又はマイルにわたってデータを搬送するために使用される。
【００３６】
ワイヤレス通信回路３４は、アンテナ４０を含む。アンテナ４０は、適当なアンテナ形式を使用して形成される。例えば、アンテナ４０は、ループアンテナ構造、パッチアンテナ構造、逆Ｆ字アンテナ構造、スロットアンテナ構造、平坦な逆Ｆ字アンテナ構造、螺旋アンテナ構造、これら設計の混成、等から形成された共振素子を伴うアンテナを含む。異なる帯域及び帯域の組合せに異なる形式のアンテナを使用することができる。例えば、ローカルワイヤレスリンクアンテナを形成するのに１つの形式のアンテナを使用し、そしてリモートワイヤレスリンクを形成するのに別の形式のアンテナを使用することができる。
【００３７】
一例としてここに時々述べる１つの適当な構成では、装置１０の下部アンテナ（即ち、図１の装置１０の領域２０に配置されたアンテナ４０）は、ループ型アンテナ設計を使用して形成される。ユーザが装置１０を保持するとき、ユーザの指が装置１０の外部に接触する。例えば、ユーザは、領域２０において装置１０にタッチする。アンテナの性能が、他の外部物体とユーザとのタッチ又は接触の有無に対してほとんど不感であるように保証するために、ループ形式のアンテナは、ギャップ１８付近に電界をほとんど集中させない構成体を使用してフィードされる。
【００３８】
図１の２４−２４線に沿って切り取って２６の方向に見た図１の装置１０の断面側面図が図３に示されている。図３に示すように、ディスプレイ１４は、ベゼル１６を使用して装置１０の前面にマウントされる。ハウジング１２は、ベゼル１６から形成された側壁と、平らな後部ハウジング構造体４２のような構造体から形成された１つ以上の後壁とを含む。構造体４２は、プラスチックのような誘電体又は他の適当な材料から形成される。ベゼル１６をディスプレイ１４及び後部ハウジング壁構造体４２に取り付けるのに、スナップ、クリップ、スクリュー、接着剤、及び他の構造体が使用されてもよい。
【００３９】
装置１０は、プリント回路板４６のようなプリント回路板を収容する。プリント回路板４６及び装置１０内の他のプリント回路板は、堅牢なプリント回路板材料（例えば、ガラスファイバ充填エポキシ）、又はポリマーのような柔軟な材料シートから形成される。柔軟なプリント回路板（フレックス回路）は、例えば、ポリイミドの柔軟なシートから形成される。
【００４０】
プリント回路板４６は、相互接続部４８のような相互接続部を含む。この相互接続部４８は、導電性トレース（例えば、金メッキされた銅又は他の金属のトレース）から形成される。コネクタ５０のようなコネクタは、（一例として）半田又は導電性接着剤を使用して相互接続部４８に接続される。集積回路、個別コンポーネント、例えば、抵抗器、キャパシタ及びインダクタ、並びに他の電子コンポーネントは、プリント回路板４６にマウントされる。
【００４１】
アンテナ４０は、アンテナフィード端子を有する。例えば、アンテナ４０は、正のアンテナフィード端子５８のような正のアンテナフィード端子と、接地アンテナフィード端子５４のような接地アンテナフィード端子とを有する。図３に例示する構成では、同軸ケーブル５２のような伝送線経路は、端子５８及び５４で形成されたアンテナフィードと、コンポーネント４４のトランシーバ回路との間で、コネクタ５０及び相互接続部４８を経て結合される。コンポーネント４４は、図２のトランシーバ回路３６及び３８を具現化する１つ以上の集積回路を含む。コネクタ５０は、例えば、プリント回路板４６に接続された同軸ケーブルコネクタである。ケーブル５２は、同軸ケーブル又は他の伝送線である。端子５８は、同軸ケーブル中心コネクタ５６に結合される。端子５４は、ケーブル５２の接地導体（例えば、導電性の外側編組導体）に接続される。装置１０のトランシーバをアンテナ４０に結合するのに、必要に応じて、他の構成が使用されてもよい。図３の構成は、例示に過ぎない。
【００４２】
図３の断面図から明らかなように、ベゼル１６により形成されるハウジング１２の側壁は、比較的背が高い。同時に、装置１０の下端の領域２０にアンテナを形成するのに使用できる面積の大きさは、特にコンパクトな装置では限定される。アンテナを形成する望ましい形態であるコンパクトなサイズでは、望ましい通信帯域で共振するに充分なサイズのスロット形式のアンテナ形状を形成することが困難である。ベゼル１６の形状は、従来の平らな逆Ｆ字型アンテナの効率を下げる傾向がある。そのような挑戦は、必要に応じて、アンテナ４０に対してループ形状の設計を使用して対処されてもよい。
【００４３】
図４のアンテナ構成体を一例として考える。図４に示すように、アンテナ４０は、装置１０の領域２０に形成される。領域２０は、図１を参照して述べたように、装置１０の下端に位置する。時々接地平面又は接地平面素子とも称される導電性領域６８は、１つ以上の導電性構造体（例えば、プリント回路板４６上の平らな導電性トレース、装置１０の内部構造部材、回路板４６上の電気的コンポーネント４４、回路板４６上にマウントされた高周波シールド缶、等）から形成される。領域６６における導電性領域６８は、アンテナ４０の「接地領域」を形成するものとして時々参照される。図４の導電性構造体７０は、ベゼル１６により形成される。領域７０は、時々、接地平面延長部とも称される。ギャップ１８は、この導電性ベゼル部分に形成される（図１に示すように）。
【００４４】
接地平面延長部７０（即ち、ベゼル１６の部分）、及び接地領域６８の縁７６に沿って存在する領域６８の部分は、開口７２の周りの導電性ループを形成する。開口７２は、空気、プラスチック及び他の内実の誘電体から形成される。要望があれば、開口７２の輪郭は、カーブしてもよいし、５つ以上のまっすぐなセグメントを有してもよいし、及び／又は導電性コンポーネントの輪郭により画成されてもよい。図４における誘電体領域７２の長方形の形状は、例示に過ぎない。
【００４５】
図４の導電性構造体は、高周波トランシーバ６０を接地アンテナフィード端子６２と正のアンテナフィード端子６４とにまたがって結合することによりフィードされる。図４に示したように、この形式の構成では、アンテナ４０のフィードは、ギャップ１８の付近に配置されない（即ち、フィード端子６２及び６４は、開口７２の横方向中心駆動線７４の左側に位置され、一方、ギャップ１８は、装置１０の右手側部に沿って駆動線７４の右側に位置される。この形式の構成体は、ある状況においては満足であるが、図４の端子６２及び６４の位置にアンテナフィード端子を配置するアンテナフィード構成は、ギャップ１８の付近における高周波アンテナ信号の電界強度を強調する傾向がある。ユーザが指８０のような外部物体を方向７８に移動することによりギャップ１８の付近に配置した場合には（例えば、装置１０をユーザの手で掴むときに）、ユーザの指の存在がアンテナ４０の動作を妨げることがある。
【００４６】
アンテナ４０がタッチに対して過度に敏感にならないことを保証するために（即ち、装置１０のユーザの手及び他の外部物体を伴うタッチ事象に対してアンテナ４０の感度を下げるために）、アンテナ４０は、ギャップ１８の付近（例えば、図４の例では、正のアンテナフィード端子５８及び接地アンテナフィード端子５４により示されたところ）に配置されたアンテナフィード端子を使用してフィードされる。アンテナフィードが線７４の右側に配置され、より特定すれば、アンテナフィードがギャップ１８に接近して配置されたときは、ギャップ１８に発生される電界は、減少される傾向にある。これは、ユーザの手の存在に対するアンテナ４０の感度を最小にする上で助けとなり、外部物体がギャップ１８の付近で装置１０に接触したかどうかに関わらず、満足な動作を確保する。
【００４７】
図４の構成では、アンテナ４０は、直列にフィードされる。図４に示す形式の直列フィードループアンテナの回路図が図５に示されている。図５に示すように、直列フィードループアンテナ８２は、ループ８４のようなループ状の導電性経路を有する。正の伝送線導体８６及び接地伝送線導体８８より成る伝送線は、アンテナフィード端子５８及び５４に各々結合される。
【００４８】
図５に示す形式の直列フィードのフィード構成体を有効に使用して多帯域ループアンテナにフィードする挑戦がなされる。例えば、８５０ＭＨｚ及び９００ＭＨｚのＧＳＭ（登録商標）サブ帯域をカバーする低い周波数帯域、並びに１８００ＭＨｚ及び１９００ＭＨｚのＧＳＭ（登録商標）サブ帯域並びに２１００ＭＨｚのデータサブ帯域をカバーする高い周波数帯域においてループアンテナを動作することが望まれる。この形式の構成は、二重帯域構成（例えば、第１帯域として８５０／９００、及び第２帯域として１８００／１９００／２１００）であると考えてもよいし、又は５つの帯域（８５０、９００、１８００、１９００及び２１００）を有すると考えてもよい。そのような多帯域構成では、図５のループアンテナ８２のような直列フィードアンテナは、低い周波数の通信帯域よりも、高い周波数の通信帯域において実質的に良好なインピーダンスマッチングを示す。
【００４９】
この効果を表わす定在波比（ＳＷＲ）対周波数の曲線が図６に示されている。図６に示すように、ＳＷＲ曲線９０は、高帯域周波数ｆ２（例えば、１８００ＭＨｚ、１９００ＭＨｚ及び２１００ＭＨｚのサブ帯域をカバーするための）に満足な共振ピーク（ピーク９４）を示す。しかしながら、ＳＷＲプロット９０は、アンテナ４０が直列フィードされるときに周波数ｆ１を中心とする低周波数帯域では比較的悪い性能しか示さない。例えば、図５の直列フィードループアンテナ８２についてのＳＷＲ曲線９０は、弱い共振ピーク９６を特徴とする。このデモンストレーション例として、直列フィードループアンテナは、ｆ２の高周波数帯域では伝送線５２（図３）に対して満足なインピーダンスマッチングを与えるが、低周波数帯域ｆ１では伝送線５２（図３）に対して満足なインピーダンスマッチングを与えない。
【００５０】
適切なインピーダンスマッチング特徴をもつ並列フィードの構成を使用して、より満足な性能レベル（低帯域の共振ピーク９２で示された）を得ることができる。
【００５１】
例示的な並列フィードループアンテナが図７に概略的に示されている。図７に示すように、並列フィードループアンテナ９０は、ループ９２のような導体ループを有する。図７の例のループ９２は、円形として示されている。これは、例示に過ぎない。ループ９２は、必要に応じて他の形状を有してもよい（例えば、長方形、カーブした縁及びまっすぐな縁の両方をもつ形状、不規則な境界をもつ形状、等）。伝送線ＴＬは、正の信号導体９４及び接地信号導体９６を含む。経路９４及び９６は、同軸ケーブル、フレックス回路及び堅牢なプリント回路のマイクロストリップ伝送線、等に収容されてもよい。伝送線ＴＬは、正のアンテナフィード端子５８及び接地アンテナフィード端子５４を使用してアンテナ９０のフィードに結合される。電気的素子９８が端子５８と５４を橋絡し、経路９２により形成されたループを「閉じる」。このようにループが閉じたとき、素子９８は、ループ９２を形成する導電性経路に介在される。図７のループアンテナ９０のような並列フィードループアンテナのインピーダンスは、素子９８、及び必要に応じて、他の回路（例えば、線９４又は線９６のようなフィード線の１つに介在されるキャパシタ又は他の素子）を適切に選択することにより調整することができる。
【００５２】
素子９８は、１つ以上の電気的コンポーネントから形成される。素子９８の全部又は一部分として使用されるコンポーネントは、抵抗器、インダクタ、及びキャパシタを含む。
素子９８として望ましい抵抗、インダクタンス及びキャパシタンスは、集積回路を使用して形成され、個別コンポーネントを使用して形成され、及び／又は個別コンポーネント又は集積回路の一部分ではない誘電体及び導電性構造体を使用して形成される。例えば、抵抗は、抵抗性金属合金の細い線を使用して形成することができ、キャパシタンスは、２つの導電性パッドを、誘電体で分離して互いに接近離間させることにより形成することができ、そしてインダクタンスは、プリント回路板上に導電性経路を生成することで形成することができる。この形式の構造体は、抵抗器、キャパシタ及び／又はインダクタと称されてもよいし、又は容量性アンテナフィード構造体、抵抗性アンテナフィード構造体及び／又は誘導性アンテナフィード構造体と称されてもよい。
【００５３】
図７の回路図のコンポーネント９８がインダクタを使用して具現化されたアンテナ４０のための構成が図８に例示されている。図８に示すように、ループ９２（図７）は、導電性領域７０と、開口７２の縁７６に沿って延びる領域６８の導電性部分とを使用して具現化される。図８のアンテナ４０は、正のアンテナフィード端子５８と、接地アンテナフィード端子５４とを使用してフィードされる。端子５４及び５８は、ギャップ１８の付近に配置されて、ギャップ１８の電界集中度を減少し、それにより、タッチ事象に対するアンテナ４０の感度を下げる。
【００５４】
インダクタ９８の存在は、伝送線５２のインピーダンスをアンテナ４０に一致させる上で少なくとも一部分助けとなる。必要に応じて、インダクタ９８は、表面マウント技術（ＳＭＴ）インダクタのような個別コンポーネントを使用して形成される。又、インダクタ９８のインダクタンスは、図９に示す形式の構成体を使用して具現化されてもよい。図９の構成では、並列フィードループアンテナ４０のループ導体は、接地平面縁ＧＥに並列に延びる誘導性セグメントＳＧを有する。このセグメントＳＧは、例えば、プリント回路板又は他の導電性部材上の導電性トレースである。誘電体開口ＤＬ（例えば、空気充填又はプラスチック充填開口）は、導電性ループ部分７０のセグメントＳＧから接地部６８の縁部分ＧＥを分離する。セグメントＳＧは、長さＬを有する。セグメントＳＧ及び関連接地部ＧＥは、関連インダクタンスを伴う伝送線を形成する（即ち、セグメントＳＧ及び接地部ＧＥは、インダクタ９８を形成する）。インダクタ９８のインダクタンスは、フィード端子５４及び５８と並列に接続され、それ故、図８に示す形式の並列誘導性同調素子を形成する。図９の誘導性素子９８は、伝送線構造を使用して形成されるので、図９の誘導性素子９８は、アンテナ４０に導入するロスが、個別インダクタを使用してフィード端子を橋絡する構成より少ない。例えば、伝送線誘導性素子９８は、（図６の満足な共振ピーク９４として示す）高帯域性能を維持するが、個別インダクタは、高帯域性能を下げることがある。
【００５５】
又、容量性同調を使用して、アンテナ４０のインピーダンスマッチングを改善することもできる。例えば、図１０のキャパシタ１００は、同軸ケーブル５２の中心導体５６に直列に接続されてもよいし、又は他の適当な構成を使用して、アンテナフィードに直列キャパシタンスを導入することもできる。図１０に示すように、キャパシタ１００は、伝送線５２の端と正のアンテナフィード端子５８との間に介在する同軸ケーブルの中心導体５６又は他の導電性構造体に介在されてもよい。キャパシタ１００は、１つ以上の個別コンポーネント（例えば、ＳＭＴコンポーネント）、１つ以上の容量性構造体（例えば、誘電体により分離された重畳するプリント回路板トレース、等）、プリント回路板又は他の基板上の横方向ギャップ、等によって形成されてもよい。
【００５６】
図１０のループアンテナ４０の導電性ループは、導電性構造体７０と、縁７６に沿った接地導電性構造体６６の導電性部分とで形成される。又、電流路１０２で示したように、接地平面６８の他の部分にはループ電流も流れる。正のアンテナフィード端子５８は、ループ経路の一端に接続され、そして接地アンテナフィード端子５４は、ループ経路の他端に接続される。インダクタ９８は、図１０のアンテナ４０の端子５４及び５８を橋絡し、従って、アンテナ４０は、橋絡インダクタンス（及びキャパシタ１００からの直列キャパシタンス）を伴う並列フィードループアンテナを形成する。
【００５７】
アンテナ４０の動作中に、異なる長さの種々の電流路１０２は接地平面６８を通して形成される。これは、当該帯域においてアンテナ４０の周波数応答を広げる上で助けとなる。並列インダクタンス９８及び直列キャパシタンス１００のような同調素子の存在は、アンテナ４０が高帯域及び低帯域の両方で効率的に動作できるようにする（例えば、アンテナ４０が図６の高帯域共振ピーク９４及び図６の低帯域共振ピーク９２を示すようにする）アンテナ４０の効率的なインピーダンスマッチング回路を形成する上で助けとなる。
【００５８】
図１０のインダクタ９８及びキャパシタ１００のような同調素子が並列フィードループアンテナ４０に及ぼす影響を示す簡単なスミスチャートが図１１に示されている。チャート１０４の中心のポイントＹは、伝送線５２のインピーダンス（例えば、アンテナ４０をマッチングさせるべき５０オーム同軸ケーブルインピーダンス）を表わす。アンテナ４０のインピーダンスを、低帯域及び高帯域の両方においてポイントＹに接近させる構成は、満足な動作を示す。
【００５９】
図１０の並列フィードアンテナ４０では、高帯域マッチングが、誘導性素子９８及びキャパシタ１００の有無に対して比較的不感である。しかしながら、これらのコンポーネントは、低帯域インピーダンスに著しい影響を及ぼし得る。一例として、インダクタ９８もキャパシタ１００ももたないアンテナ構成（即ち、図４に示す形式の並列フィードループアンテナ）について考える。この形式の構成では、低帯域（例えば、図６の周波数ｆ１の帯域）は、チャート１０４上のポイントＸ１により表されたインピーダンスで特徴付けられる。図９の並列インダクタンス９８のようなインダクタがアンテナに追加されると、低帯域におけるアンテナのインピーダンスは、チャート１０４のポイントＸ２により特徴付けられる。キャパシタ１００のようなキャパシタがアンテナに追加されると、アンテナは、図１０に示すように構成される。この形式の構成では、アンテナ４０のインピーダンスは、チャート１０４のポイントＸ３により特徴付けられる。
【００６０】
ポイントＸ３では、アンテナ４０は、高帯域（図６の周波数ｆ２を中心とする周波数）及び低帯域（図６の周波数ｆ１を中心とする周波数）の両方においてケーブル５０のインピーダンスに良好に一致される。これは、アンテナ４０が希望の当該通信帯域をサポートできるようにする。例えば、このマッチング構成では、図１０のアンテナ４０のようなアンテナは、８５０ＭＨｚ及び９００ＭＨｚの通信帯域（全体として周波数ｆ１の低帯域領域を形成する）と、１８００ＭＨｚ、１９００ＭＨｚ及び２１００ＭＨｚの通信帯域（全体として周波数ｆ２の高帯域領域を形成する）のような帯域で動作できるようにする。
【００６１】
更に、ポイントＸ３の配置は、タッチ事象による離調を最小にするよう確保する上で助けとなる。ユーザがアンテナ４０の付近で装置１０のハウジング１２にタッチするとき、又は他の外部物体がアンテナ４０に密接に接近されるとき、それらの外部物体は、アンテナのインピーダンスに影響を及ぼす。特に、これら外部物体は、アンテナインピーダンスへの容量性インピーダンス貢献を招く傾向がある。アンテナインピーダンスへのこの形式の貢献の影響は、図１１のチャート１０４の線１０６で示したように、アンテナのインピーダンスをポイントＸ３からポイントＸ４へ移動させる傾向がある。ポイントＸ３の元の位置のために、ポイントＸ４は、最適なポイントＹからあまり遠くない。その結果、アンテナ４０は、種々の条件のもとで（例えば、装置１０がタッチされたとき、装置１０がタッチされないとき、等）満足な動作を示すことができる。
【００６２】
図１１の動作は、種々のアンテナ構成に対するポイントとしてインピーダンスを表わすが、アンテナインピーダンスは、典型的に、アンテナインピーダンスの周波数依存性のためにポイントの集合（例えば、チャート１０４上のカーブした線セグメント）により表される。しかしながら、チャート１０４の全体的な振舞いは、当該周波数におけるアンテナの振舞いを表わす。カーブした線セグメントを使用して周波数依存のアンテナインピーダンスを表わすことは、図面の過剰な複雑化を避けるために図１１から省略されている。
【００６３】
一実施形態によれば、周囲を有する電子装置の並列フィードループアンテナにおいて、周囲に沿って配置された導電性構造体から少なくとも一部分形成された導電性ループ経路と、その導電性ループ経路に介在されたインダクタと、そのインダクタにより橋絡された第１及び第２のアンテナフィード端子とを備えた並列フィードループアンテナが提供される。
【００６４】
別の実施形態によれば、導電性ループ経路の導電性構造体が、電子装置の周囲を取り巻く導電性ベゼルから少なくとも一部分形成される並列フィードループアンテナが提供される。
【００６５】
別の実施形態によれば、導電性ベゼルがギャップを含む並列フィードループアンテナが提供される。
【００６６】
別の実施形態によれば、第１及び第２のアンテナフィード端子がギャップの両側に配置された並列フィードループアンテナが提供される。
【００６７】
別の実施形態によれば、伝送線と第１アンテナフィード端子との間にアンテナ信号を搬送するアンテナフィード線と、そのアンテナフィード線に介在されるキャパシタとを更に含む並列フィードループアンテナが提供される。
【００６８】
別の実施形態によれば、インダクタが誘導性伝送線構造体を含む並列フィードループアンテナが提供される。
【００６９】
別の実施形態によれば、誘導性伝送線構造体が、接地平面の一部分から形成された第１の導電性構造体と、この第１の導電性構造体に平行に延びる第２の導電性構造体とを含み、そしてそれら第１及び第２の導電性構造体が開口で分離されるような並列フィードループアンテナが提供される。
【００７０】
一実施形態によれば、周囲を有するハウジングと、周囲に沿って延び且つ周囲に少なくとも１つのギャップを有する導電性構造体と、その導電性構造体から少なくとも一部分形成されたアンテナとを備えた電子装置が提供される。
【００７１】
別の実施形態によれば、ディスプレイも備え、導電性構造体がそのディスプレイのためのベゼルを含む電子装置が提供される。
【００７２】
別の実施形態によれば、アンテナのための第１及び第２のアンテナフィード端子も備え、アンテナは、並列フィードループアンテナを含む電子装置が提供される。
【００７３】
別の実施形態によれば、実質的に長方形の接地平面も備え、この実質的に長方形の接地平面からループアンテナの一部分が形成される電子装置が提供される。
【００７４】
別の実施形態によれば、第２のアンテナフィード端子が実質的に長方形の接地平面に接続される電子装置が提供される。
【００７５】
別の実施形態によれば、高周波トランシーバ回路と、正及び接地導体を有する伝送線であって、高周波トランシーバ回路と第１及び第２のアンテナフィード端子との間に結合された伝送線と、この伝送線の正の導体に介在されたキャパシタも備えた電子装置が提供される。
【００７６】
別の実施形態によれば、第１及び第２のアンテナフィード端子を橋絡するインダクタも備えた電子装置が提供される。
【００７７】
別の実施形態によれば、第２のアンテナフィード端子が実質的に長方形の接地平面に接続され、そして第１のアンテナフィード端子がベゼルに電気的に接続された電子装置が提供される。
【００７８】
一実施形態によれば、接地平面と、ギャップを有する導電性の電子装置ベゼルと、そのギャップを充填する個体誘電体と、第１及び第２のアンテナフィード端子とを備え、前記接地平面、ベゼル、第１及び第２のフィード端子で並列フィードループアンテナが形成されるワイヤレス回路が提供される。
【００７９】
別の実施形態によれば、誘導性素子も備え、この誘導性素子が第１及び第２のアンテナフィード端子を橋絡するワイヤレス回路が提供される。
【００８０】
別の実施形態によれば、並列フィードループアンテナに結合されそして少なくとも第１及び第２の通信帯域で動作するように構成された高周波トランシーバ回路も備えたワイヤレス回路が提供される。
【００８１】
別の実施形態によれば、並列フィードループアンテナに結合され、そして８５０ＭＨｚ及び９００ＭＨｚのサブ帯域をカバーする第１通信帯域と、１８００ＭＨｚ、１９００ＭＨｚ及び２１００ＭＨｚのサブ帯域をカバーする第２通信帯域で動作するように構成された高周波トランシーバ回路も備えたワイヤレス回路が提供される。
【００８２】
別の実施形態によれば、第１のアンテナフィード端子に直列に結合された容量性素子も備え、第２のアンテナフィード端子は、接地平面に接続されるワイヤレス回路が提供される。
【００８３】
一実施形態によれば、長方形周囲を有するディスプレイと、高周波トランシーバ回路と、ディスプレイの長方形周囲を取り巻き且つ周囲に沿ってギャップを有する導電性構造体と、ギャップを有し且つアンテナフィード端子を含む導電性構造体の一部分を含むアンテナと、高周波トランシーバ回路とアンテナフィード端子との間に結合された伝送線と、を備えた電子装置が提供される。
【００８４】
別の実施形態によれば、ギャップに個体誘電体も含む電子装置が提供される。
【００８５】
別の実施形態によれば、アンテナフィード端子を橋絡する誘導性素子も含む電子装置が提供される。
【００８６】
別の実施形態によれば、導電性構造体がディスプレイのためのベゼルを含む電子装置が提供される。
【００８７】
別の実施形態によれば、導電性素子が、開口により分離された接地平面及び導電性素子の部分を含む電子装置が提供される。
【００８８】
別の実施形態によれば、アンテナフィード端子の１つに接続された容量性素子も含む電子装置が提供される。
【００８９】
別の実施形態によれば、伝送線が正の導体を含み、そして容量性素子が正の導体と第１のアンテナフィード端子との間に直列に接続された電子装置が提供される。
【００９０】
別の実施形態によれば、導電性構造体がディスプレイのためのベゼルを含む電子装置が提供される。
【００９１】
別の実施形態によれば、コンポーネントがマウントされたプリント回路板も備え、このプリント回路板及びコンポーネントが接地平面の少なくとも一部分を形成し、そして接地平面からアンテナが少なくとも一部分形成された電子装置が提供される。
【００９２】
別の実施形態によれば、第２のアンテナフィード端子が、接地平面に接続された接地アンテナフィード端子を含む電子装置が提供される。
【００９３】
以上の説明は、本発明の原理を単に例示するものに過ぎず、当業者であれば、本発明の範囲及び精神から逸脱せずに種々の変更をなすことができよう。以上の実施形態は、個々に具現化されてもよいし、任意の組合せで具現化されてもよい。
【符号の説明】
【００９４】
１０：電子装置
１２：ハウジング
１４：ディスプレイ
１６：ベゼル
１８：ギャップ
２０、２２：領域
２８：記憶及び処理回路
３０：入力／出力回路
３２：入力／出力装置
３４：ワイヤレス通信回路
３６：トランシーバ回路
３８：セルラー電話トランシーバ回路
４０：アンテナ
４４：電気的コンポーネント
４６：プリント回路板
４８：相互接続部
５２：ケーブル
５４：接地アンテナフィード端子
５６：同軸ケーブル中心コネクタ
５８：正のアンテナフィード端子
６２：接地アンテナフィード端子
６４：正のアンテナフィード端子
６８：導電性領域
７０：導電性構造体
７２：開口
７４：分割線
７８：方向
８０：指
８２：直列フィードループアンテナ
８４：ループ
８６：正の伝送線導体
８８：接地伝送線導体
９０：並列フィードループアンテナ
９２：ループ
９４：正の信号導体
９６：接地信号導体
【図１】
0005642835.tif 000002
【図２】
0005642835.tif 000003
【図３】
0005642835.tif 000004
【図４】
0005642835.tif 000005
【図５】
0005642835.tif 000006
【図６】
0005642835.tif 000007
【図７】
0005642835.tif 000008
【図８】
0005642835.tif 000009
【図９】
0005642835.tif 000010
【図１０】
0005642835.tif 000011
【図１１】
0005642835.tif 000012